(57)【要約】【課題】視聴しているサービスの裏の放送サービスの内容を認識するため、多くのサービスを一画面に同時表示する場合、小型の表示部では認識が困難であり、また、チューナを複数持たなければならず、更に、表示されるサービスのタイトルだけでは、現在放送中のサービス内容までは確認できなかった。【解決手段】サービスに対応する映像データをデコードする映像処理部１４と、サービスに対応する字幕データをデコードする字幕処理部１３と、映像処理部１４がデコードした映像および字幕処理部１３がデコードした字幕を表示するディスプレイ１７と、ディスプレイ１７に映像を表示しているサービスとは異なるサービスの字幕データを字幕処理部１３によりデコードさせ、当該サービスの映像とともに異なるサービスの字幕を表示させるように制御するＣＰＵ１９と、を備える。【選択図】図１
2010034973.tif 000002
【特許請求の範囲】
【請求項１】
サービスに対応する映像データをデコードする映像処理部と、
サービスに対応する字幕データをデコードする字幕処理部と、
前記映像処理部がデコードした映像および前記字幕処理部がデコードした字幕を表示する表示部と、
該表示部に映像を表示しているサービスとは異なるサービスの字幕データを前記字幕処理部によりデコードさせ、当該サービスの映像とともに前記異なるサービスの字幕を表示させるように制御する制御部と、
を備える放送表示装置。
【請求項２】
前記制御部は、前記映像を表示するサービスと、前記字幕を表示するサービスとを受信するように制御することを特徴とする請求項１記載の放送表示装置。
【請求項３】
前記制御部は、前記字幕を表示するサービスの数を所定のサービス数以内に制御することを特徴とする請求項１記載の放送表示装置。
【請求項４】
前記所定のサービス数は、前記映像を表示している表示領域に基づいて決定することを特徴とする請求項３記載の放送表示装置。
【請求項５】
複数のサービスを指定する操作部と、
サービスに対応する字幕データをデコードする字幕処理部と、
該字幕処理部がデコードした字幕を表示する表示部と、
前記操作部により指定された複数のサービスの字幕データを前記字幕処理部によりデコードさせ、当該複数のサービスの字幕をすべて前記表示部に表示させるように制御する制御部と、
を備える放送表示装置。
【発明の詳細な説明】
【技術分野】
【０００１】
この発明は、多チャンネル放送サービスを受信することができる放送表示装置に関する。
【背景技術】
【０００２】
従来、ＭｅｄｉａＦＬＯが知られている。ＭｅｄｉａＦＬＯとは、携帯端末向け多チャンネル放送サービスであり、移動体環境に適した技術によって、映像や音楽を配信するものである。ＭｅｄｉａＦＬＯのエアインターフェースはＦＬＯ（Ｆｏｒｗａｒｄ  Ｌｉｎｋ  Ｏｎｌｙ）と呼ばれており、ＦＬＯの物理層には直交周波数多重分割（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ：ＯＦＤＭ）が採用される。
【０００３】
図８は、ＦＬＯのインタレース構成を示す説明図である。図８に示すように、ＦＬＯは、６ＭＨｚの帯域幅を使用し、サブキャリアの本数は４０９６本である。この４０９６本のサブキャリアのうち、実際に使用するサブキャリアは、ガードサブキャリア９６本を除いた４０００本である。ＭｅｄｉａＦＬＯは、４０００本のサブキャリアを、８つのインタレースと呼ばれるグループに分割する。各インタレースは、４０００本のサブキャリアから８本置きに選択した５００本のサブキャリアから構成される。１つのインタレースはパイロットシンボルとして使用されるため、残りの７つのインタレースがデータ送信に使用される。ＭｅｄｉａＦＬＯでは、１つのインタレースを最小の単位として、周波数帯域に対するサービス（映像、音声、字幕など）の割り当てが行われる。
【０００４】
図９は、ＭｅｄｉａＦＬＯのフレーム構成及びインタレースに対するサービスの割り当て例を示す説明図である。図９に示すように、縦軸のインタレースは周波数軸における分割を表し、横軸は時間軸の分割を表している。ＭｅｄｉａＦＬＯは１秒を周期とするスーパーフレーム（１２００のＯＦＤＭシンボル）から構成され、当該スーパーフレームには４つのフレームが含まれる。ＭｅｄｉａＦＬＯの各サービスは、フレーム上のＭＬＣ（Ｍｕｌｔｉｃａｓｔ  Ｌｏｇｉｃａｌ  Ｃｈａｎｎｅｌ）と呼ばれる論理チャンネル上で運ばれる。
【０００５】
ＭＬＣは、１つ以上のインタレースと、１つ以上のＯＦＤＭシンボルとから構成される。図９の太線で囲まれた範囲は、それぞれ異なるＭＬＣを表すものであり、各ＭＬＣには、映像、音声、および字幕などのデータが格納されている。例えば一つの映像と一つの音声とからなるサービス（即ち、番組）は、２つのＭＬＣから構成される。
【０００６】
また、例えば、図９の斜線で示すＭＬＣのみで構成されるサービスを視聴するには、当該ＭＬＣを構成するインタレース及びＯＦＤＭシンボルのみをデコードすれば良い。このように、ＭｅｄｉａＦＬＯでは、時間領域、周波数領域を細かく分割したサービスの割り当てが行われており、必要なＭＬＣのみを選択的にデコードする（間欠受信する）ことによって、受信機の省電力化を図ることができる。なお、ＭｅｄｉａＦＬＯでは、１つのチューナで全てのインタレースを受信することができるため、さらに数多くのＭＬＣを同時にデコードし、複数のサービスを同時に視聴することも可能である。
【０００７】
一方、統合ディジタル放送サービス（Ｉｎｔｅｇｒａｔｅｄ  Ｓｅｒｖｉｃｅｓ  Ｄｉｇｉｔａｌ  Ｂｒｏａｄｃａｓｔｉｎｇ：ＩＳＤＢ）の地上波向けの規格ＩＳＤＢ−Ｔでは、セグメントにより周波数領域の分割を行っているが、ＯＦＤＭシンボルを単位とした時間領域での分割は行っていない。このため、ＭｅｄｉａＦＬＯのように、必要なサービスのみを間欠受信することはできない。また、一つのチューナで受信できるサービスは一つであり、複数のサービスを視聴するには複数のチューナが必要となる。
【０００８】
つまり、ＩＳＤＢ−Ｔでは、基本的に１つのチューナで受信できるサービスは１つであり、視聴していないサービスのデコードは行えない。そのため、視聴サービスを切り替えた場合、切り替えたときから当該サービスのデコードを開始するため、視聴できる状態になるまでに数秒の時間を要する。
【０００９】
これに対し、ＭｅｄｉａＦＬＯでは、前述したように、視聴していないサービスの映像や音声データもフレーム内のＭＬＣで伝送されているため、あるサービスを視聴しながら別のサービスのデータを取り出すことも可能であるが、不必要なデータをデコードすることは、ＣＰＵリソースや消費電力の観点から無駄であることから、視聴していないサービスのデコードは行われない。そのため、ＩＳＤＢ−Ｔに比べて選局が速いとされるＭｅｄｉａＦＬＯでも、選局から映像が出力されるまでに１.５秒程度の時間を要する。
【００１０】
そこで、ユーザが任意のサービスを視聴しながら、その裏で放送されているサービスを認識する方法として、多くのサービスを一つの画面に同時に表示することが想定される。このようなものとして、例えば、「電子番組ガイド表示制御装置および方法並びにリモートコマンダ」（特許文献１参照）がある。
【特許文献１】特開平０８-２８９２１４号公報
【発明の開示】
【発明が解決しようとする課題】
【００１１】
しかしながら、あるサービスを視聴しているその裏で放送されているサービスを認識するために、多くのサービスを一つの画面に同時に表示する方法においては、表示する画面が携帯端末等の小型の表示部の場合、見づらくて認識が困難であり、また、チューナを複数持たなければならない。更に、ユーザは、電子番組表を利用して現在放送中のサービスを調べることができるが、携帯端末等の小型の表示部に表示されるサービスのタイトル（例えば、「ニュースと天気」や「サッカー中継」等）だけでは、現在放送されているサービスの内容までは確認することができない。
【００１２】
この発明の目的は、視聴しているサービスの裏で放送されているサービスの内容を容易に認識することができる放送表示装置を提供することである。
【課題を解決するための手段】
【００１３】
上記目的を達成するため、この発明に係る放送表示装置は、サービスに対応する映像データをデコードする映像処理部と、サービスに対応する字幕データをデコードする字幕処理部と、前記映像処理部がデコードした映像および前記字幕処理部がデコードした字幕を表示する表示部と、該表示部に映像を表示しているサービスとは異なるサービスの字幕データを前記字幕処理部によりデコードさせ、当該サービスの映像とともに前記異なるサービスの字幕を表示させるように制御する制御部と、を備えることを特徴としている。
【００１４】
また、この発明において、前記制御部は、前記映像を表示するサービスと、前記字幕を表示するサービスとを受信するように制御することが好ましい。
また、この発明において、前記制御部は、前記字幕を表示するサービスの数を所定のサービス数以内に制御することが好ましい。
また、この発明において、前記所定のサービス数は、前記映像を表示している表示領域に基づいて決定することが好ましい。
また、この発明に係る放送表示装置は、複数のサービスを指定する操作部と、サービスに対応する字幕データをデコードする字幕処理部と、該字幕処理部がデコードした字幕を表示する表示部と、前記操作部により指定された複数のサービスの字幕データを前記字幕処理部によりデコードさせ、当該複数のサービスの字幕をすべて前記表示部に表示させるように制御する制御部と、を備えることを特徴としている。
【発明の効果】
【００１５】
この発明によれば、視聴しているサービスの裏で放送されているサービスの内容を容易に認識することができる。
【発明を実施するための最良の形態】
【００１６】
以下、この発明を実施するための最良の形態について図面を参照して説明する。
図１は、この発明の一実施の形態に係る放送表示装置の一例である、ＭｅｄｉａＦＬＯ受信端末の構成を示すブロック図である。図１に示すように、ＭｅｄｉａＦＬＯ受信端末（放送表示装置）１０は、チューナ１１、復調部１２、字幕処理部１３、映像処理部１４、音声処理部１５、表示処理部１６、ディスプレイ１７、スピーカ１８、ＣＰＵ（Ｃｅｎｔｒａｌ  Ｐｒｏｃｅｓｓｉｎｇ  Ｕｎｉｔ）１９、操作部２０、ＲＯＭ（Ｒｅａｄ  Ｏｎｌｙ  Ｍｅｍｏｒｙ）２１、及びＲＡＭ（Ｒａｎｄｏｍ  Ａｃｃｅｓｓ  Ｍｅｍｏｒｙ）２２を有している。
【００１７】
チューナ１１、復調部１２、字幕処理部１３、映像処理部１４、音声処理部１５、表示処理部１６、ＣＰＵ１９、操作部２０、ＲＯＭ２１、及びＲＡＭ２２は、バス２３を介してそれぞれ接続されている。
このＭｅｄｉａＦＬＯ受信端末１０は、携帯端末向け多チャンネル放送サービスであり、移動体環境に適した技術によって、映像や音楽を配信するＭｅｄｉａＦＬＯを受信することが可能である。
【００１８】
チューナ１１は、アンテナ１１ａを介して入力した放送波を受信し、選局する。復調部１２は、チューナ１１が受信した放送波を復調し、放送波受信データ（字幕データ、映像データ、音声データなど）を生成する。字幕処理部１３は、復調部１２から入力した字幕データをデコードし、映像処理部１４は、復調部１２から入力した映像データをデコードし、音声処理部１５は、復調部１２から入力した音声データをデコードする。
【００１９】
表示処理部１６は、字幕処理部１３及び映像処理部１４から入力したデコードした字幕データ及びデコードした映像データにより、ディスプレイ１７に表示する表示画像データを生成する。ディスプレイ１７は、表示処理部１６から入力した表示画面データにより表示画面を再生する。スピーカ１８は、音声処理部１５から入力したデコードした音声データにより音声を再生する。
ＣＰＵ１９は、ＲＯＭ２１に格納されている制御プログラムや各種処理手順を規定したプログラム等のソフトウェアや、ＲＡＭ２２に保存されている各種データ等に基づき、ＭｅｄｉａＦＬＯ受信端末１０に関する各種制御を行う。操作部２０は、各種の操作キー等からなり、ＭｅｄｉａＦＬＯ受信端末１０に対する各種指示の入力を行うためユーザにより操作される。
【００２０】
つまり、ＭｅｄｉａＦＬＯ受信端末１０は、サービスに対応する映像データをデコードする映像処理部１４と、サービスに対応する字幕データをデコードする字幕処理部１３と、映像処理部１４がデコードした映像及び／又は字幕処理部１３がデコードした字幕を表示するディスプレイ１７（表示部）と、映像処理部１４及び／又は字幕処理部１３のデコードと、ディスプレイ１７の表示モードとを制御するＣＰＵ１９（制御部）とを備えている。
【００２１】
そして、ＣＰＵ１９に制御される表示モードには、ディスプレイ１７に映像を表示しているサービスと共に、ディスプレイ１７に映像を表示しているサービスとは異なるサービスの字幕を表示する第１のモード、及び指示したサービスの字幕のみを表示する第２の表示モードが含まれる。
また、字幕を表示するサービスの数は、喩え派、映像を表示している表示領域に基づいて決定される所定のサービス数以内とされている。また、第２の表示モードにおける字幕を表示するサービスの数は、表示部の表示領域に基づいて決定される。
【００２２】
そして、このＣＰＵ１９は、チューナ１１が、映像を表示するサービスと、字幕を表示するサービスとを受信するように制御する。また、ＣＰＵ１９により、字幕を表示するサービスの数が、映像を表示している表示領域に基づいて決定される所定のサービス数以内になるように制御される。
従って、このＭｅｄｉａＦＬＯ受信端末１０により、現在放送されている複数のサービス（即ち、番組）を受信しデコードすることができる。また、ＭｅｄｉａＦＬＯ受信端末１０は、通常、一般的なテレビ（ＴＶ）受信端末として機能し、テレビ視聴時、ディスプレイ１７には、例えば、選択（選局）したチャンネルの映像や、選択（選局）したチャンネル（映像）に関する字幕や、選択（選局）したチャンネル以外のチャンネルに関する字幕等を、表示画面として表示することができる。
【００２３】
図２は、ＭｅｄｉａＦＬＯ受信端末のディスプレイにおける表示画面の一例を示し、（ａ）は表示例（その１）の説明図、（ｂ）は表示例（その２）の説明図である。図３は、ＭｅｄｉａＦＬＯ受信端末のディスプレイにおける表示画面の一例を示し、（ａ）は表示例（その３）の説明図、（ｂ）は表示例（その４）の説明図、（ｃ）は表示例（その５）の説明図である。
【００２４】
図２及び図３に示すように、ＭｅｄｉａＦＬＯ受信端末１０によるテレビ視聴時、ＭｅｄｉａＦＬＯ受信端末１０のディスプレイ１７には、通常画面（図２（ａ）参照）や番組表画面（図２（ｂ）参照）の他、視聴中のチャンネル０８の映像ａと字幕ｂ、及びチャンネル０８以外のチャンネル０４の字幕ｃからなる表示画面（図３（ａ）参照）を表示することができる。
また、ディスプレイ１７には、視聴中のチャンネル０８の映像ａと字幕ｂ、及び視聴中のチャンネル０８以外のチャンネル０４，０１，１２の字幕ｃからなる表示画面、即ち、第１の表示モード画面（図３（ａ），（ｂ）参照）、或いは受信可能な全チャンネル（番組表的表示）の字幕ｃからなる表示画面（但し、表示可能な数のチャンネル）、即ち、第２の表示モード画面（図３（ｃ）参照）を表示することもできる。
【００２５】
次に、ＭｅｄｉａＦＬＯ受信端末１０による複数のサービスの受信処理（その１）について説明する。
図４は、図１のＭｅｄｉａＦＬＯ受信端末による表示処理の流れ（その１）を示すフローチャートである。図４に示すように、先ず、ＭｅｄｉａＦＬＯ受信端末１０のユーザが、テレビ視聴を行うためＭｅｄｉａＦＬＯ受信端末１０をテレビ視聴状態にする（ステップＳ１０１）。
【００２６】
その後、ＭｅｄｉａＦＬＯ受信端末１０の機能が起動されたか否かを判定する（ステップＳ１０２）。判定の結果、ＭｅｄｉａＦＬＯ受信端末１０の機能が起動されていない（Ｎｏ）場合、テレビ視聴が終了したか否かを判定する（ステップＳ１０３）。ステップＳ１０３の判定の結果、テレビ視聴が終了していない（Ｎｏ）場合、ステップＳ１０１に戻って以後の処理を行い、一方、テレビ視聴が終了した（Ｙｅｓ）場合、ＭｅｄｉａＦＬＯ受信端末１０による表示処理を終了する。
【００２７】
一方、ステップＳ１０２の判定の結果、ＭｅｄｉａＦＬＯ受信端末１０の機能が起動された（Ｙｅｓ）場合、機能起動により選択された機能はサービス追加か或いはサービス削除かを判定する（ステップＳ１０４）。判定の結果、機能がサービス追加である場合、サービス追加により、サービス数が現在の表示モードにおける最大許容サービス数を越えたか（最大許容サービス数＜受信中のサービス数）否かを判定する（ステップＳ１０５）。
ステップＳ１０５における判定の結果、受信中のサービス数が最大許容サービス数を越えていない（Ｎｏ）場合、指定されたサービスのＭＬＣ受信を開始し（ステップＳ１０６）、続けて、指定されたサービスの字幕データのデコードを開始する（ステップＳ１０７）。その後、字幕の表示方法は通常表示か或いはスクロール表示かを判定する（ステップＳ１０８）。
【００２８】
ステップＳ１０８における判定の結果、通常表示する場合、指定されたサービスの通常表示による字幕表示を追加し（ステップＳ１０９）、その後、テレビ視聴が終了したか否かを判定して（ステップＳ１０３）、以後の処理を行う。一方、スクロール表示する場合、指定されたサービスのスクロール表示による字幕表示を追加し（ステップＳ１１０）、その後、テレビ視聴が終了したか否かを判定して（ステップＳ１０３）、以後の処理を行う。
また、ステップＳ１０５における判定の結果、受信中のサービス数が最大許容サービス数を越えている（Ｙｅｓ）場合、ディスプレイ１７に表示不可（エラー）のポップアップを表示し（ステップＳ１１１）、その後、テレビ視聴が終了したか否かを判定して（ステップＳ１０３）、以後の処理を行う。
【００２９】
また、ステップＳ１０４における判定の結果、機能がサービス削除である場合、ディスプレイ１７に現在字幕表示をしているサービスの一覧を表示する（ステップＳ１１２）。その後、現在字幕表示をしているサービスの一覧の中から指定されたサービスの字幕表示を削除し（ステップＳ１１３）、続けて、指定されたサービスの字幕データのデコードを停止する（ステップＳ１１４）。デコードを停止した後、指定されたサービスのＭＬＣ受信を停止し（ステップＳ１１５）、その後、テレビ視聴が終了したか否かを判定して（ステップＳ１０３）、以後の処理を行う。
【００３０】
次に、上述したＭｅｄｉａＦＬＯ受信端末１０による複数のサービスの受信処理について、表示処理の流れ（図３参照）における各処理に対応したディスプレイ１７の表示画面を参照しつつ説明する。
図５は、ＭｅｄｉａＦＬＯ受信端末のディスプレイにおける表示画面の一例を示し、（ａ）は表示例（その６）の説明図、（ｂ）は表示例（その７）の説明図、（ｃ）は表示例（その８）の説明図である。図６は、ＭｅｄｉａＦＬＯ受信端末のディスプレイにおける表示画面の一例を示し、（ａ）は表示例（その９）の説明図、（ｂ）は表示例（その１０）の説明図、（ｃ）は表示例（その１１）の説明図である。
【００３１】
先ず、ユーザが、ＭｅｄｉａＦＬＯ受信端末１０をテレビ視聴状態にすると、一般的なテレビ受信端末として機能し、ディスプレイ１７には、通常画面（図２（ａ）参照）や番組表画面（図２（ｂ）参照）を表示することができる。
次に、テレビ視聴状態にあるＭｅｄｉａＦＬＯ受信端末１０においてチャンネル０８を視聴しながら、チャンネル０４で放送中の野球中継の内容も把握したい場合、ユーザは、ＭｅｄｉａＦＬＯ受信端末１０の機能操作部を操作して、複数の機能項目の中から必要な機能項目である「番組（字幕）追加／削除」を選択する（図５（ｂ）参照）。「番組（字幕）追加／削除」を選択後、続けて、チャンネル０４を選択すると共に、表示情報（字幕、スクロール字幕、付加情報）の中から「字幕」を選択し（図６（ａ）参照）、ディスプレイ１７に字幕を表示するように設定する。
【００３２】
次に、ディスプレイ１７に現在表示しているサービス字幕数と、表示可能な最大サービス字幕数を比較し、現在表示しているサービス字幕数が最大サービス字幕数未満であれば、指定されたサービスの字幕に相当するＭＬＣの受信及びデータのデコードを開始する。ここで、現在表示しているサービス字幕数が最大サービス字幕数以上であれば、表示不可（エラー）のポップアップを表示する（図６（ｂ）参照）。表示可能な場合、ディスプレイ１７は、視聴中のチャンネル０８の映像ａと字幕ｂ、及びチャンネル０８以外の選局したチャンネル０４の字幕ｃからなる表示画面（図３（ａ）参照）に切り替わる。
【００３３】
なお、現在視聴しているチャンネル０８の字幕は、字幕データに含まれる時間情報に従い、表示／非表示／更新の何れかの状態になるが、字幕を、表示画面の例えば右から左へスクロールするように表示させる（図６（ａ）参照）選択もできる。
また、チャンネル０８を視聴しながら、チャンネル０１で放送中の天気予報及びチャンネル１２で放送中の経済ニュースの内容を把握したい場合、ユーザは、ＭｅｄｉａＦＬＯ受信端末１０の機能操作部を操作して、複数の機能項目の中から必要な機能項目である「番組（字幕）追加／削除」を選択する（図５（ｂ）参照）。「番組（字幕）追加／削除」を選択後、続けて、チャンネル０１とチャンネル１２を選択（選局）すると共に、表示情報（字幕、スクロール字幕、付加情報）の中から「字幕」を選択し（図６（ａ）参照）、ディスプレイ１７に字幕を表示するように設定する。
【００３４】
次に、ディスプレイ１７に現在表示しているサービス字幕数と、表示可能な最大サービス字幕数を比較し、現在表示しているサービス字幕数が最大サービス字幕数未満であれば、指定されたサービスの字幕に相当するＭＬＣの受信及びデータのデコードを開始する。ここで、現在表示しているサービス字幕数が最大サービス字幕数以上であれば、表示不可（エラー）のポップアップを表示する（図６（ｂ）参照）。
表示可能な場合、ディスプレイ１７は、視聴中のチャンネル０８の映像ａと字幕ｂ、及びチャンネル０８以外の選局したチャンネル０１，０４，１２の字幕ｃからなる表示画面（図３（ｂ）参照）に切り替わる。
【００３５】
なお、チャンネル０１，０４，１２の字幕は、表示画面の例えば右から左へスクロールするように表示させる（図６（ａ）参照）選択もできる。
また、チャンネル０８を視聴しながら、チャンネル０４で放送中の野球中継における現在のスコア、チャンネル０６で放送中のサッカー中継の現在のスコア、及びチャンネル１２で放送中の経済ニュースのチャートを、ディスプレイ１７に表示したい場合、ユーザは、ＭｅｄｉａＦＬＯ受信端末１０の機能操作部を操作して、複数の機能項目の中から必要な機能項目である「番組（字幕）追加／削除」を選択する（図５（ｂ）参照）。「番組（字幕）追加／削除」を選択後、続けて、チャンネル０４、チャンネル０６及びチャンネル１２を選択（選局）すると共に、表示情報（字幕、スクロール字幕、付加情報）の中（図６（ａ）参照）から「付加情報」を選択し、ディスプレイ１７に付加情報を表示するように設定する。
【００３６】
その結果、ディスプレイ１７は、視聴中のチャンネル０８の映像ａと字幕ｂ、及びチャンネル０８以外の選局したチャンネル０４、チャンネル０６、チャンネル１２の付加情報であるチャンネル情報ｄからなる表示画面（図５（ａ）参照）に切り替わる。
また、ディスプレイ１７に表示されている字幕を削除したい場合、ユーザは、ＭｅｄｉａＦＬＯ受信端末１０の機能操作部を操作して、複数の機能項目の中から必要な機能項目である「番組（字幕）追加／削除」を選択する（図５（ｂ）参照）。「番組（字幕）追加／削除」を選択後、続けて、現在受信し字幕を表示しているサービスの一覧から、削除するサービスを選択し（図６（ｃ）参照）、設定ボタンを押すと表示から削除されるとともに、削除する対象の字幕に相当するデータのデコード及びＭＬＣの受信を停止する。
【００３７】
次に、ＭｅｄｉａＦＬＯ受信端末１０による複数のサービスの受信処理（その２）について説明する。この受信処理（その２）においては、ユーザが、ディスプレイ１７に表示された電子番組表により自分の見たいサービスを検索する場合に、字幕による番組表示（番組表的表示）を選択することができる。
【００３８】
図７は、図１のＭｅｄｉａＦＬＯ受信端末による表示処理の流れ（その２）を示すフローチャートである。図７に示すように、先ず、ディスプレイ１７の表示画面を通常表示とするか或いは字幕表示とするかを選択する（ステップＳ２０１）。選択の結果、通常表時の場合、現在、表示画面は字幕表示中か否かを判定し（ステップＳ２０２）、判定の結果、字幕表示中である（Ｙｅｓ）場合、表示範囲にある全サービスの字幕データのデコードを停止する（ステップＳ２０３）。デコードを停止した後、全サービスのＭＬＣ受信を停止し（ステップＳ２０４）、その後、通常の電子番組表を表示する（ステップＳ２０５）。
【００３９】
通常の電子番組表を表示した後、電子番組表の表示を終了したか否かを判定し（ステップＳ２０６）、判定の結果、電子番組表の表示を終了した（Ｙｅｓ）場合、サービスの受信処理を終了し、一方、電子番組表の表示を終了していない（Ｎｏ）場合、ステップＳ２０１へ戻り、以後の処理を行う。
また、ステップＳ２０２における判定の結果、字幕表示中でない（Ｎｏ）場合、通常の電子番組表を表示し（ステップＳ２０５）、以後の処理を行う。
【００４０】
また、ステップＳ２０１における判定の結果、表示方法が字幕表示である場合、表示範囲にある全サービスのＭＬＣ受信を開始し（ステップＳ２０７）、続けて、全サービスの字幕データのデコードを開始する（ステップＳ２０８）。デコード開始後、全サービスの字幕を表示し（ステップＳ２０９）、その後、電子番組表の表示を終了したか否かを判定し（ステップＳ２０６）、以後の処理を行う。
次に、上述したＭｅｄｉａＦＬＯ受信端末１０による複数のサービスの受信処理（その２）について、表示処理の流れ（図７参照）における各処理に対応したディスプレイ１７の表示画面を参照しつつ説明する。
【００４１】
先ず、ユーザが、ＭｅｄｉａＦＬＯ受信端末１０のディスプレイ１７に表示された電子番組表を見て、自分の見たいサービスを検索する場合、ＭｅｄｉａＦＬＯ受信端末１０の機能操作部を操作して、複数の機能項目（図５（ｂ）参照）の中から必要な機能項目である「番組表」を選択する。選択により、ディスプレイ１７には、通常の番組表画面（図２（ｂ）参照）が表示される。
【００４２】
この番組表画面に替えて、全サービスの字幕による番組表示（番組表的表示）画面を選択する場合、ＭｅｄｉａＦＬＯ受信端末１０の機能操作部を操作して、複数の機能項目の中から必要な機能項目である「表示方法切替（字幕）」を選択する（図５（ｃ）参照）。ユーザが、字幕による表示を選択したことにより、全サービスの字幕に相当するＭＬＣの受信及びデータのデコードが開始され、ディスプレイ１７には、全サービス（チャンネル）の字幕による番組表示（番組表的表示）画面が表示される（図３（ｃ）参照）。尚、全サービスとは、省電力の観点から考慮すると表示中の全サービスとして動作する方が良い。又、レスポンスの観点から考慮すると、受信可能な全サービスとして動作する方が良い。
なお、ユーザが、ＭｅｄｉａＦＬＯ受信端末１０の機能操作部を操作して、複数の機能項目の中から「通常表示」を選択し、字幕による番組表示から通常の番組表示に切り替えた場合、字幕に相当するデータのデコード及びＭＬＣの受信が停止される。
【００４３】
通常の番組表による表示（図２（ｂ）参照）では、各サービスが現在どのような内容で放送されているか、その詳細を認識することは困難であるが、全サービス（チャンネル）の字幕（番組表的表示）による表示（図３（ｃ）参照）では、各サービスが現在どのような内容で放送されているか、その詳細を、ディスプレイ１７の表示画面を眺めているだけで認識することができる。このとき、表示される字幕は、字幕データに含まれる時間情報に従って、表示／非表示／更新の何れかの状態に設定することができ、また、字幕を、表示画面の例えば右から左へスクロールするように表示させる（図６（ａ）参照）選択もできる。
【００４４】
上述したように、この発明に係るＭｅｄｉａＦＬＯ受信端末１０は、放送を受信するチューナ１１と共に、サービスを一覧表示する電子番組表表示を行う字幕処理部１３とを備えており、選局されているサービスの表示の他に、別途選局されているサービスの字幕を表示することができる。
また、ＭｅｄｉａＦＬＯ受信端末１０は、選局されているサービスの表示の他に、字幕のみを表示するサービスを指定可能なユーザインターフェース（Ｕｓｅｒ  Ｉｎｔｅｒｆａｃｅ：ＵＩ）である機能操作部（操作部２０）を備えている。
【００４５】
また、ＭｅｄｉａＦＬＯ受信端末１０は、電子番組表によるサービス一覧表示において、全サービスの字幕を同時に表示することができ、字幕の表示方法として右から左へスクロール表示する機能を備えている。更に、ＭｅｄｉａＦＬＯ受信端末１０は、選局されているサービスの表示の他に、別途選局されているサービスのリアルタイム性を要求される各種情報を表示することができる。
従って、この発明に係るＭｅｄｉａＦＬＯ受信端末１０においては、同時に複数のサービスの内容を把握するために複数のサービスの映像を一つの画面に表示する方法や電子番組表を参照する方法とは異なり、各サービスの字幕のみを表示することにより、ユーザに現在放送中の各サービスの内容を容易に認識させることができる。
【００４６】
また、各サービスの映像をサムネイルで表示する場合、ＣＰＵリソースや消費電力の観点から無駄が大きいばかりでなく、表示が小さ過ぎてサービスの内容まで認識することは困難であるが、字幕表示にすることで、字幕程度の情報量のデコードであればその影響は小さく、サービス内容の認識も十分可能である。
更に、字幕だけでなく、各種スポーツのスコアや株価／為替情報等、リアルタイム性を要求される情報を表示させることもできる。
なお、本発明は、上述した実施の形態により説明したが、この実施の形態に限定されるものではない。従って、本発明の趣旨を逸脱することなく変更態様として実施するものも含むものである。
【図面の簡単な説明】
【００４７】
【図１】この発明の一実施の形態に係る放送表示装置の一例である、ＭｅｄｉａＦＬＯ受信端末の構成を示すブロック図である。
【図２】ＭｅｄｉａＦＬＯ受信端末のディスプレイにおける表示画面の一例を示し、（ａ）は表示例（その１）の説明図、（ｂ）は表示例（その２）の説明図である。
【図３】ＭｅｄｉａＦＬＯ受信端末のディスプレイにおける表示画面の一例を示し、（ａ）は表示例（その３）の説明図、（ｂ）は表示例（その４）の説明図、（ｃ）は表示例（その５）の説明図である。
【図４】図１のＭｅｄｉａＦＬＯ受信端末による表示処理の流れ（その１）を示すフローチャートである。
【図５】ＭｅｄｉａＦＬＯ受信端末のディスプレイにおける表示画面の一例を示し、（ａ）は表示例（その６）の説明図、（ｂ）は表示例（その７）の説明図、（ｃ）は表示例（その８）の説明図である。
【図６】ＭｅｄｉａＦＬＯ受信端末のディスプレイにおける表示画面の一例を示し、（ａ）は表示例（その９）の説明図、（ｂ）は表示例（その１０）の説明図、（ｃ）は表示例（その１１）の説明図である。
【図７】図１のＭｅｄｉａＦＬＯ受信端末による表示処理の流れ（その２）を示すフローチャートである。
【図８】ＦＬＯのインタレース構成を示す説明図である。
【図９】ＭｅｄｉａＦＬＯのフレーム構成及びインタレースに対するサービスの割り当て例を示す説明図である。
【符号の説明】
【００４８】
１０  ＭｅｄｉａＦＬＯ受信端末
１１  チューナ
１１ａ  アンテナ
１２  復調部
１３  字幕処理部
１４  映像処理部
１５  音声処理部
１６  表示処理部
１７  ディスプレイ
１８  スピーカ
１９  ＣＰＵ
２０  操作部
２１  ＲＯＭ
２２  ＲＡＭ
２３  バス
ａ  映像
ｂ，ｃ  字幕
ｄ  チャンネル情報
【図１】
2010034973.tif 000003
【図２】
2010034973.tif 000004
【図３】
2010034973.tif 000005
【図４】
2010034973.tif 000006
【図５】
2010034973.tif 000007
【図６】
2010034973.tif 000008
【図７】
2010034973.tif 000009
【図８】
2010034973.tif 000010
【図９】
2010034973.tif 000011